(57)【要約】【課題】周辺光量落ちや光学収差が大きい領域を切り出すことを防止できるようにする。【解決手段】カメラ制御部１０５は、画像データの焦点距離、被写体距離、絞り値及びレンズＩＤの情報を取得する。そして、取得した焦点距離、被写体距離、絞り値及びレンズＩＤの情報に基づいて、前記画像データの光学収差量または周辺光量落ち量を算出する。そして、ユーザによって選択された切り出し領域に前記算出された光学収差量または周辺光量落ち量が所定の閾値を超えている警告領域を含む場合には、切り出し領域の中に警告領域が含まれている旨を表示部１０４に表示して警告する。【選択図】図１
2011055361.tif 000002
【特許請求の範囲】
【請求項１】
画像データ、及び前記画像データの撮像情報を取得する取得手段と、
前記取得手段によって取得された撮像情報に基づいて、前記画像データの光学収差量または周辺光量落ち量を算出する算出手段と、
ユーザの操作に応じて前記画像データから切り出す切り出し領域を選択する選択手段と、
前記選択手段によって選択された切り出し領域に前記算出手段によって算出された光学収差量または周辺光量落ち量が所定値を超えている領域を含む場合に、前記選択手段による選択を禁止または警告するように制御する制御手段とを備えることを特徴とする画像処理装置。
【請求項２】
前記制御手段は、前記画像データの画像領域全体に対する前記切り出し領域の割合が所定値よりも小さい場合に前記選択手段による選択を禁止または警告するように制御することを特徴とする請求項１に記載の画像処理装置。
【請求項３】
前記制御手段は、前記切り出し領域の中心が光学中心からずれている場合に前記選択手段による選択を禁止または警告するように制御することを特徴とする請求項１または２に記載の画像処理装置。
【請求項４】
前記制御手段は、光学歪み補正が行われていない画像データに対して制御することを特徴とする請求項１〜３の何れか１項に記載の画像処理装置。
【請求項５】
被写体を撮像して画像データを生成する撮像手段と、
前記撮像手段によって生成された画像データの撮像情報を取得する取得手段と、
前記取得手段によって取得された撮像情報に基づいて、前記画像データの光学収差量または周辺光量落ち量を算出する算出手段と、
ユーザの操作に応じて前記画像データから切り出す切り出し領域を選択する選択手段と、
前記選択手段によって選択された切り出し領域に、前記算出手段によって算出された光学収差量または周辺光量落ち量が所定値を超えている領域を含む場合に、前記撮像手段の光学ズーム及び前記切り出し領域のサイズを変更するように制御する撮像制御手段とを備えることを特徴とする撮像装置。
【請求項６】
前記撮像制御手段は、前記画像データの画像領域全体に対する前記切り出し領域の割合が所定値よりも小さい場合に前記撮像手段の光学ズーム及び前記切り出し領域のサイズを変更するように制御することを特徴とする請求項５に記載の撮像装置。
【請求項７】
前記撮像制御手段は、前記切り出し領域の中心が光学中心からずれている場合に前記撮像手段の光学ズーム及び前記切り出し領域のサイズを変更するように制御することを特徴とする請求項５または６に記載の撮像装置。
【請求項８】
前記撮像制御手段は、光学歪み補正を行われていない画像データに対して制御することを特徴とする請求項５〜７の何れか１項に記載の撮像装置。
【請求項９】
前記撮像制御手段は、前記光学収差量または周辺光量落ち量が所定値を超えている領域を含まないように、前記撮像手段の光学ズーム及び前記切り出し領域のサイズを変更するように制御することを特徴とする請求項５〜８の何れか１項に記載の撮像装置。
【請求項１０】
画像データ、及び前記画像データの撮像情報を取得する取得工程と、
前記取得工程において取得された撮像情報に基づいて、前記画像データの光学収差量または周辺光量落ち量を算出する算出工程と、
ユーザの操作に応じて前記画像データから切り出す切り出し領域を選択する選択工程と、
前記選択工程において選択された切り出し領域に前記算出工程において算出された光学収差量または周辺光量落ち量が所定値を超えている領域を含む場合に、前記選択工程における選択を禁止または警告するように制御する制御工程とを備えることを特徴とする画像処理方法。
【請求項１１】
撮像手段によって生成された画像データの撮像情報を取得する取得工程と、
前記取得工程において取得された撮像情報に基づいて、前記画像データの光学収差量または周辺光量落ち量を算出する算出工程と、
ユーザの操作に応じて前記画像データから切り出す切り出し領域を選択する選択工程と、
前記選択工程において選択された切り出し領域に、前記算出工程において算出された光学収差量または周辺光量落ち量が所定値を超えている領域を含む場合に、前記撮像手段の光学ズーム及び前記切り出し領域のサイズを変更するように制御する撮像制御工程とを備えることを特徴とする撮像装置の制御方法。
【請求項１２】
画像データ、及び前記画像データの撮像情報を取得する取得工程と、
前記取得工程において取得された撮像情報に基づいて、前記画像データの光学収差量または周辺光量落ち量を算出する算出工程と、
ユーザの操作に応じて前記画像データから切り出す切り出し領域を選択する選択工程と、
前記選択工程において選択された切り出し領域に前記算出工程において算出された光学収差量または周辺光量落ち量が所定値を超えている領域を含む場合に、前記選択工程における選択を禁止または警告するように制御する制御工程とをコンピュータに実行させることを特徴とするプログラム。
【請求項１３】
撮像手段によって生成された画像データの撮像情報を取得する取得工程と、
前記取得工程において取得された撮像情報に基づいて、前記画像データの光学収差量または周辺光量落ち量を算出する算出工程と、
ユーザの操作に応じて前記画像データから切り出す切り出し領域を選択する選択工程と、
前記選択工程において選択された切り出し領域に、前記算出工程において算出された光学収差量または周辺光量落ち量が所定値を超えている領域を含む場合に、前記撮像手段の光学ズーム及び前記切り出し領域のサイズを変更するように制御する撮像制御工程とをコンピュータに実行させることを特徴とするプログラム。
【請求項１４】
請求項１２または１３に記載のプログラムを記憶したことを特徴とするコンピュータ読み取り可能な記憶媒体。
【発明の詳細な説明】
【技術分野】
【０００１】
本発明は画像処理装置、撮像装置、画像処理方法、撮像装置の制御方法、プログラム及び記憶媒体に関し、特に、画像を切り出すために用いて好適な技術に関する。
【背景技術】
【０００２】
従来、周辺光量落ちが目立たないようにするために、光学ズームでズーミングする際に、周辺光量落ちが小さい領域を切り出す撮像装置が提案されている（例えば、特許文献１または特許文献２参照）。
【先行技術文献】
【特許文献】
【０００３】
【特許文献１】特開２００６−１１５１１７号公報
【特許文献２】特開２００７−６７８２７号公報
【発明の概要】
【発明が解決しようとする課題】
【０００４】
前述したように、前記特許文献１及び特許文献２では、光学ズームでズーミングする際に周辺光量落ちが小さい領域を切り出すことができる。ところが、画像の切り出し領域を自由に選択する場合には、周辺光量落ちや光学収差が大きい領域が含まれてしまうことがある。
【０００５】
本発明は前述の問題点に鑑み、周辺光量落ちや光学収差が大きい領域を切り出すことを防止できるようにすることを目的とする。
【課題を解決するための手段】
【０００６】
本発明の画像処理装置は、画像データ、及び前記画像データの撮像情報を取得する取得手段と、前記取得手段によって取得された撮像情報に基づいて、前記画像データの光学収差量または周辺光量落ち量を算出する算出手段と、ユーザの操作に応じて前記画像データから切り出す切り出し領域を選択する選択手段と、前記選択手段によって選択された切り出し領域に前記算出手段によって算出された光学収差量または周辺光量落ち量が所定値を超えている領域を含む場合に、前記選択手段による選択を禁止または警告するように制御する制御手段とを備えることを特徴とする。
【発明の効果】
【０００７】
本発明によれば、選択した切り出し領域に周辺光量落ちや光学収差が大きい領域が含まれている場合にユーザは容易に認識することができる。これにより、周辺光量落ちや光学収差が小さい領域を選択して切り出すことができる。
【図面の簡単な説明】
【０００８】
【図１】本発明の実施形態の撮像装置の構成例を示すブロック図である。
【図２】切り出し領域に警告表示を行う動作例を示すフローチャートである。
【図３】禁止領域を含む場合に切り出し防止する動作例を示すフローチャートである。
【図４】光学ズームアウト及び画像縮小を行う動作例を示すフローチャートである。
【図５】切り出し領域に対して警告表示を行う例を示す図である。
【図６】光学ズームアウト及び画像縮小を行う様子を示す図である。
【発明を実施するための形態】
【０００９】
以下、添付図面を参照しながら本発明を実施する最良の形態を詳細に説明する。
（第１の実施形態）
図１は、本実施形態の撮像装置１の構成例を示すブロック図である。本実施形態の撮像装置１の一例としては、例えば、デジタルカメラであり、ＣＣＤ、ＣＭＯＳ等のイメージセンサを利用して画像を電気信号として取得し、デジタルデータ化する。そして、画像データのファイルとして少なくとも外部装置に出力したり記録媒体に記録したりすることが可能である。また、本実施形態の撮像装置１は、必要に応じて、現像処理や、画像データファイル形式に応じた圧縮符号化処理、ファイル生成処理等を行う。例えば、デジタルカメラの場合、画像データの形式としては、静止画の場合はＲＡＷ形式、ＪＰＥＧ形式、ＴＩＦＦ方式などが用いられ、動画の場合はＭｏｔｉｏｎＪＰＥＧ方式、ＭＰＥＧ方式などが用いられる。
【００１０】
図１に示すように、本実施形態の撮像装置１は、レンズ部１０１、撮像部１０２、記憶部１０３、表示部１０４、カメラ制御部１０５、データ処理部１０６及び入力部１０７を備えている。
【００１１】
レンズ部１０１は、レンズや絞りといった光学系を備えており、レンズは着脱可能な交換式であってもよく、着脱不可であり、交換式でなくてもよい。撮像部１０２は、光学系によって結像された光束を画像信号として取り出すための撮像素子（イメージセンサ）、及び撮像素子が出力する画像信号をデジタルデータ化して出力するＡ／Ｄ変換器を有する。また、撮像部１０２は、自動焦点制御回路（ＡＦ）及び自動絞り制御回路（ＡＥ）を有している。撮像部１０２から出力される画像データは、データ処理部１０６により予め設定された形式に従った画像データファイルに変換される。
【００１２】
データ処理部１０６は、設定された形式に応じて必要な画像処理、圧縮符号化処理、ファイル生成処理等を行う。具体的には、例えばＪＰＥＧ形式の画像データファイルを生成する場合、まず、ホワイトバランス処理や色補間処理といった現像処理を行う。そして、現像処理を行った画像データをＪＰＥＧ形式にするための圧縮符号化処理を行い、画像データファイルを、読み出し可能な記憶部１０３に記憶する。
【００１３】
記憶部１０３は、データを書き込み可能な不揮発性メモリ、メディア、ハードディスクなどの記憶媒体であり、着脱可能であってもよい。表示部１０４は、例えばＬＣＤであり、撮像装置１の各種設定を行ったり閲覧したりするためのメニュー画面、各種メッセージ、撮影画像等を表示するために用いられる。
【００１４】
カメラ制御部１０５は、ユーザの操作に応じて入力部１０７から入力信号を受けると、レンズ部１０１、撮像部１０２、記憶部１０３、表示部１０４、データ処理部１０６及び入力部１０７の制御を行う。入力部１０７は、釦等の操作部材を有しており、撮像装置１に対してユーザから直接操作による入力を受け付ける。なお、本実施形態の撮像装置１が備えるレンズ部１０１、撮像部１０２、記憶部１０３、表示部１０４、カメラ制御部１０５、データ処理部１０６及び入力部１０７は、一部が複数の装置に分散していてもよい。
【００１５】
次に、図２を参照しながら、前述した構成の撮像装置１によって、画像の切り出し領域を選択する際に、切り出し領域に周辺光量落ちや光学収差が大きい領域が含まれている場合に警告表示を行う動作例について説明する。ここで、撮像部１０２で撮像した画像をそのまま表示した場合と、記憶部１０３に記憶されている画像データファイルを再生して表示した場合とがある。図２に示すフローチャートでは、両方の場合について説明する。なお、図２での各処理は、撮像装置１のＲＯＭやハードディスク等に記憶された制御プログラムがＲＡＭにロードされて、カメラ制御部１０５のＣＰＵにより実行される。
【００１６】
また、画像の切り出し領域を自由に選択する際に切り出す領域は、周辺光量落ちが小さい領域だけでなく、光学収差が小さい領域も対象とする。ここで光学収差とは、光学的に生じた歪みのことをいい、歪曲収差、倍率色収差、軸上色収差などを指す。
【００１７】
図２において、まず、切り出しを行う全体画像を表示部１０４に表示することにより、処理を開始する。そして、ステップＳ２００において、カメラ制御部１０５は、周辺光量落ちや光学収差を補正する光学歪み補正機能がオフであるかどうかを判定する。この判定の結果、光学歪み補正機能がオフである場合はステップＳ２０１に進む。一方、ステップＳ２００の判定の結果、光学歪み補正機能がオンである場合は、周辺光量落ちや光学収差が補正されているので、ステップＳ２０８に進み、カメラ制御部１０５は、入力部１０７でのユーザによる直接操作に基づいて、画像の切り出し領域を選択する。そして、ステップＳ２０９に進む。
【００１８】
ステップＳ２０１において、カメラ制御部１０５は取得手段として機能し、撮像装置１の焦点距離、被写体距離、絞り値、及びレンズ部１０１のレンズを識別するレンズＩＤの情報を取得する。なお、画像データファイルを再生して表示する場合には、画像データファイルに付加情報（撮像情報）として記録されている焦点距離、被写体距離、絞り値、及び撮影時に使用したレンズを識別するレンズＩＤの情報を取得する。
【００１９】
次に、ステップＳ２０２において、カメラ制御部１０５は算出手段として機能する。そして、焦点距離、被写体距離、絞り値及びレンズＩＤの情報に基づいて、表示されている画像領域の中で、周辺光量落ち量、光学収差量が所定値（第１の閾値）よりも大きい警告領域を算出する。このとき、警告領域はレンズの種類や焦点距離、被写体距離、絞りによって変化する。一般的なレンズであれば、この警告領域は、画面の中央部ではなく周辺部に設定されることになる。
【００２０】
次に、ステップＳ２０３において、カメラ制御部１０５は選択手段として機能し、入力部１０７でのユーザによる直接操作に基づいて、画像の切り出し領域を選択する。そして、ステップＳ２０４において、カメラ制御部１０５は、画像領域全体に対する、ステップＳ２０３で選択した切り出し領域の割合が所定値（第２の閾値）よりも小さいかどうかを判定する。この判定の結果、第２の閾値よりも小さい場合は、ステップＳ２０５に進む。一方、ステップＳ２０４の判定の結果、第２の閾値よりも大きい場合はステップＳ２０９に進む。
【００２１】
本実施形態では、画像領域全体に対する切り出し領域の割合が予め設定された第２の閾値よりも小さい場合は、切り出し倍率が大きくなり、切り出し領域の位置によっては周辺光量落ちや光学収差がより目立つため、ステップＳ２０５の判定へ進む。逆に切り出し領域の割合が予め設定された第２の閾値よりも大きい場合は、切り出し倍率が小さくなり、周辺光量落ちや光学収差が比較的目立たないため、ステップＳ２０９へ進み、警告表示を行わない。
【００２２】
次に、ステップＳ２０５において、カメラ制御部１０５は、ステップＳ２０３で選択した切り出し領域の中心が光学中心であるかどうかを判定する。この判定の結果、切り出し領域の中心が光学中心でない場合は、ステップＳ２０６に進む。一方、ステップＳ２０５の判定の結果、切り出し領域の中心が光学中心である場合は、周辺光量落ちや光学収差に偏りがなく、かつ、周辺光量落ちや光学収差の程度が小さいので、ステップＳ２０９に進む。
【００２３】
次に、ステップＳ２０６において、カメラ制御部１０５は、ステップＳ２０３で選択した切り出し領域に、ステップＳ２０２で算出した警告領域が含まれるかどうかを判定する。上述したように、一般的なレンズであれば、この警告領域は画面の周辺部に設定されるため、切り出し領域の中心位置が光学中心から離れるほど、切り出し領域に警告領域に含まれやすくなる。この判定の結果、警告領域が含まれる場合はステップＳ２０７に進む。一方、ステップＳ２０６の判定の結果、警告領域が含まれない場合はステップＳ２０９に進む。
【００２４】
次に、ステップＳ２０７において、カメラ制御部１０５は、ステップＳ２０３で選択した切り出し領域を表示部１０４に表示する際に警告表示し、処理を終了する。具体的には、図５に示すように、画像全体５１から切り出した切り出し領域５３にステップＳ２０２で算出した警告領域５２が含まれていることを表示して警告し、処理を終了する。
【００２５】
一方、ステップＳ２０９においては、カメラ制御部１０５は、ステップＳ２０３またはステップＳ２０８で選択した切り出し領域を表示部１０４に表示する際に警告は行わず、切り出し領域を通常表示し、処理を終了する。なお、本実施形態においては、図５に示すように警告領域だけを表示して警告してもよく、切り出し領域全体を警告領域として警告してもよい。また、それ以外の方法で警告してもよい。
【００２６】
以上のように本実施形態によれば、画像の切り出し領域を自由に選択する場合に、切り出し領域に周辺光量落ちや光学収差が大きい領域が含まれていれば、警告表示を行うようにした。これにより、ユーザは選択した切り出した領域の中に、周辺光量落ちや光学収差が大きい領域が存在するかどうかを知ることができる。
【００２７】
（第２の実施形態）
以下、本発明の第２の実施形態について説明する。本実施形態おける撮像装置の構成は第１の実施形態における撮像装置１の構成と同様であるので、構成についての説明は省略する。以下、図３を参照しながら、本実施形態の撮像装置１によって、画像の切り出し領域を自由に選択しようとする際に、周辺光量落ちや光学収差が大きい領域を切り出すことを禁止する動作例について説明する。また、図３においても、撮像部１０２で撮像した画像をそのまま表示した場合と、記憶部１０３に記憶されている画像データファイルを再生して表示した場合との両方の場合について説明する。なお、図３での各処理は、撮像装置１のＲＯＭやハードディスク等に記憶された制御プログラムがＲＡＭにロードされて、カメラ制御部１０５のＣＰＵにより実行される。
【００２８】
図３において、ステップＳ３００及びＳ３０１の処理はそれぞれ、図２のステップＳ２００及びＳ２０１の処理と同様である。次に、ステップＳ３０２において、カメラ制御部１０５は、焦点距離、被写体距離、絞り値、レンズＩＤの情報に基づいて、表示されている画像領域の中で、周辺光量落ち量、光学収差量が予め設定されている第１の閾値よりも大きい切り出し禁止領域を算出する。本実施形態では、第１の実施形態のように警告領域が含まれていることを警告表示するのではなく、切り出し禁止領域を算出して、切り出し禁止領域を含む場合には切り出し処理を行うことができないようにする。なお、切り出し禁止領域はレンズの種類や焦点距離、被写体距離、絞りによって変化する。
【００２９】
次に、ステップＳ３０３〜Ｓ３０６、ステップＳ３０８についてはそれぞれ、図２のステップＳ２０３〜Ｓ２０６、ステップＳ２０８の処理と同様である。但し、本実施形態では、警告領域ではなく切り出し禁止領域として処理を行う。
【００３０】
そして、ステップＳ３０６の判定の結果、切り出し領域に切り出し禁止領域が含まれる場合は、ステップＳ３０７に進む。そして、ステップＳ３０７において、カメラ制御部１０５は、ステップＳ３０３で選択した切り出し領域を切り出せないように制御し、処理を終了する。
【００３１】
一方、ステップＳ３０６の判定の結果、切り出し禁止領域が含まれない場合は、ステップＳ３０９に進む。そして、ステップＳ３０９において、カメラ制御部１０５は、ステップＳ３０３またはステップＳ３０８で選択した切り出し領域を切り出して、処理を終了する。
【００３２】
以上のように本実施形態によれば、画像の切り出し領域を自由に選択する場合に、切り出し領域に周辺光量落ちや光学収差が大きい領域が含まれていれば、切り出し領域を選択して切り出すことを禁止するようにした。また、切り出し領域に周辺光量落ちや光学収差が大きい領域が含まれていれば、切り出し領域に切り出し禁止領域が含まれないように、自動的に切り出し領域の位置をずらすようにしてもよい。これにより、ユーザが選択した切り出した画像の中に、周辺光量落ちや光学収差が大きい領域が含まれることを防止することができる。
【００３３】
（第３の実施形態）
以下、本発明の第３の実施形態について説明する。本実施形態おける撮像装置の構成は第１の実施形態における撮像装置１の構成と同様であるので、構成についての説明は省略する。以下、図４を参照しながら、本実施形態の撮像装置１による動作例について説明する。本実施形態では、切り出し領域に周辺光量落ちや光学収差が大きい領域が含まれている場合に、光学ズームアウト及び切り出し領域の縮小処理により、切り出し領域に周辺光量落ちや光学収差が大きい領域を含まないようにする。したがって、図４においては、撮像部１０２で撮像した画像をそのまま表示した場合について説明する。なお、図４での各処理は、撮像装置１のＲＯＭやハードディスク等に記憶された制御プログラムがＲＡＭにロードされて、カメラ制御部１０５のＣＰＵにより実行される。
【００３４】
図４において、ステップＳ４００及びＳ４０１の処理はそれぞれ、図２のステップＳ２００及びＳ２０１の処理と同様である。ここで、光学歪み補正機能がオンである場合は、周辺光量落ちや光学収差が補正されているので、切り出し領域に周辺光量落ちや光学収差が大きい領域を含まれないようにする処理は行わないこととなる。
【００３５】
次に、ステップＳ４０２において、カメラ制御部１０５は、焦点距離、被写体距離、絞り値、レンズＩＤの情報に基づいて、表示されている画像領域の中で、周辺光量落ち量、光学収差量が予め設定されている第１の閾値よりも大きい光学歪み領域を算出する。本実施形態では、第２の実施形態のように切り出し禁止領域が含まれている場合に切り出しを禁止するのではなく、光学歪み領域を算出して、光学歪み領域を含む場合には切り出し領域を縮小する。なお、光学歪み領域はレンズの種類や焦点距離、被写体距離、絞りによって変化する。
【００３６】
次に、ステップＳ４０３〜Ｓ４０６、ステップＳ４１３についてはそれぞれ、図２のステップＳ２０３〜Ｓ２０６、ステップＳ２０８の処理と同様である。但し、本実施形態では、警告領域ではなく光学歪み領域として処理を行う。また、本実施形態では、図６（ａ）に示すような画像全体６１１から切り出し領域６１２を選択する例について、以下、動作を説明する。
【００３７】
また、ステップＳ４０４で切り出し領域の割合が予め設定された第２の閾値よりも小さい場合は、切り出し倍率が大きくなり、切り出し領域の位置によっては周辺光量落ちや光学収差がより目立つため、ステップＳ４０５の判定へ進む。一方、切り出し領域の割合が予め設定された第２の閾値よりも大きい場合は、切り出し倍率が小さくなり、周辺光量落ちや光学収差が比較的目立たない。したがって、切り出し領域に周辺光量落ちや光学収差の大きい領域が含まれないようにする処理は行わない。
【００３８】
そして、ステップＳ４０６の判定の結果、切り出し領域に光学歪み領域が含まれる場合は、ステップＳ４０７に進む。そして、ステップＳ４０７において、カメラ制御部１０５は、ステップＳ４０１で取得した情報に基づいて、レンズ部１０１のレンズの焦点距離がワイド端であるかどうかを判定する。この判定の結果、レンズの焦点距離がワイド端でない場合は、ステップＳ４０８に進む。一方、ステップＳ４０７の判定の結果、レンズの焦点距離がワイド端である場合は、ステップＳ４１２に進む。
【００３９】
次に、ステップＳ４０３で選択した切り出し領域と同じ画角の領域が光学歪み領域を含まないようにする必要がある。そこで、ステップＳ４０８において、図６（ｂ）に示す画像６２１のように、カメラ制御部１０５はレンズ部１０１を撮像制御し、光学ズームアウトにより、画角が広がるようにレンズの焦点距離を変更する。なお、光学ズームアウトの途中で、レンズの焦点距離がワイド端になった場合はその時点で光学ズームアウトを止める。これより、図６（ｂ）に示すように、図６（ａ）に示す画像に含まれていた被写体は画像全体に対するサイズが小さくなる。この段階では、図６（ｂ）に示すように、画像６２１に対する切り出し領域６２２の面積は変化していない。
【００４０】
次に、ステップＳ４０９において、カメラ制御部１０５は、図６（ｃ）に示す切り出し領域６３２のように、ステップＳ４０３で選択した切り出し領域と同じ画角になるように、画像の切り出し領域を縮小する。この段階では、図６（ｃ）に示すように、画像６３１に対する切り出し領域６３２のサイズを縮小し、光学歪み領域６３３が含まれないようにする。
【００４１】
次に、ステップＳ４１０において、カメラ制御部１０５は、レンズ部１０１のレンズの焦点距離がワイド端であるかどうかを判定する。この判定の結果、レンズの焦点距離がワイド端でない場合は、ステップＳ４１４に進む。一方、ステップＳ４１０の判定の結果、レンズの焦点距離がワイド端である場合は、ステップＳ４１１に進む。
【００４２】
なお、ステップＳ４１０でレンズの焦点距離がワイド端であると判定される場合とは、ステップＳ４０８における光学ズームアウトの途中で、レンズの焦点距離がワイド端になった場合である。ステップＳ４０８では、画像の切り出し領域に光学歪み領域が含まれないようにするために、光学ズームアウトを行っている。ところが、光学ズームアウトの途中で焦点距離がワイド端になると、これ以上光学ズームアウトできなくなり、画像の切り出し領域に光学歪み領域が含まれたままの可能性がある。
【００４３】
そこで、次に、ステップＳ４１１において、カメラ制御部１０５は、縮小した切り出し領域に、ステップＳ４０２で算出した光学歪み領域が含まれるかどうかを判定する。この判定の結果、光学歪み領域が含まれる場合は、ステップＳ４１２に進む。そして、ステップＳ４１２において、カメラ制御部１０５は、切り出し領域を表示部１０４に表示する際に警告表示し、処理を終了する。具体的には第１の実施形態と同様に、図５に示す切り出し領域５３のように、ステップＳ４０２で算出した光学歪み領域が含まれていることを警告し、処理を終了する。
【００４４】
一方、ステップＳ４１１の判定の結果、光学歪み領域が含まれない場合は、ステップＳ４１４に進む。そして、ステップＳ４１４において、カメラ制御部１０５は、切り出し領域を表示部１０４に表示する際に警告は行わず、切り出し領域を通常表示し、処理を終了する。なお、本実施形態においては、図５に示したように、警告領域だけを表示して警告してもよく、切り出し領域全体を警告領域として警告してもよい。また、それ以外の方法で警告してもよい。
【００４５】
以上のように本実施形態によれば、画像の切り出し領域を自由に選択する場合に、切り出し領域に周辺光量落ちや光学収差が大きい領域が含まれていれば、光学ズームアウト及び切り出し領域の縮小処理を行うようにした。これにより、切り出し領域に周辺光量落ちや光学収差が大きい領域が含まないようにすることができる。
【００４６】
（本発明に係る他の実施形態）
また、本発明は、以下の処理を実行することによっても実現される。即ち、上述した実施形態の機能を実現するソフトウェア（プログラム）を、ネットワーク又は各種コンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００４７】
１０４  表示部、１０５  カメラ制御部、１０７  入力部
【図１】
2011055361.tif 000003
【図２】
2011055361.tif 000004
【図３】
2011055361.tif 000005
【図４】
2011055361.tif 000006
【図５】
2011055361.tif 000007
【図６】
2011055361.tif 000008